(57)【特許請求の範囲】
【請求項１】
回転操作によって複数のモードのうちいずれかを選択する環状部材であるモードダイヤルと、
前記モードダイヤルの環内に設けられ、扁平円盤形状を有するホイールと、
前記ホイールを収容するホイール収容部と、
前記ホイール収容部の内壁面に設置された２つの内壁用圧電素子と、
弾性部材からなり、前記ホイールが傾けられることによって変形して傾く枠体と
を備え、
前記ホイールは、回転することにより２方角を指示可能に設けられ、前記ホイールの回転面に垂直な方向に傾けられることによりさらに２方角を指示可能に設けられ、
前記ホイールが傾けられることによって、前記枠体から前記２つの内壁用圧電素子のいずれかに押圧力がかけられるデジタルカメラ。
【請求項２】
回転操作によって複数のモードのうちいずれかを選択する環状部材であるモードダイヤルと、
前記モードダイヤルの環内に設けられ、扁平円盤形状を有するホイールと、
前記ホイールを収容するホイール収容部と、
前記ホイール収容部の内壁面に設置された２つの内壁用圧電素子と、
弾性部材からなり、前記ホイールが傾けられることによって変形して傾く枠体と
を備え、
前記ホイールは、回転することにより２方角を指示可能に設けられ、前記ホイールの回転面に垂直な方向に傾けられることによりさらに２方角を指示可能に設けられ、
前記ホイールが傾けられることによって、前記枠体から前記２つの内壁用圧電素子のいずれかに押圧力がかけられる操作ユニット。
【発明の詳細な説明】
【０００１】
【発明の属する技術分野】
本発明は、デジタルカメラに関する。特に本発明は、簡便な操作系を有するデジタルカメラに関する。
【０００２】
【従来の技術】
近年、デジタルカメラが多機能化された結果、操作ボタンの数が増加した。その分、必要な設置スペースも増大し、カメラの小型化が阻害されるという問題点があった。そこで、ボタンを共通化する観点から、たとえば、特開平１０―３０８９０５号公報は十字キーを搭載したカメラを開示している。かかる従来技術においては、操作内容の確定は別のボタンを押すことによって指示する必要がある。
【０００３】
【発明が解決しようとする課題】
しかし、十字キーの操作は、所望の方角へ指を移動させるだけでなく、さらに指の移動方向と垂直な方向にボタンを押圧しなければならず、操作系をより直感的に改善する余地がある。十字キーは、上下左右にわたって広がるボタンなので設置面積が広く、省スペース化が難しい。操作内容確定ボタンは、十字キーから離れて位置しており、より直感的な操作系が望まれる。ユーザはカメラを持ちながら空いた指だけで操作するので、モードダイヤルが設けられたカメラの場合、モードダイヤルの近くに操作キーがあると便利である。
【０００４】
そこで本発明は、上記の課題を解決することのできるデジタルカメラを提供することを目的とする。この目的は特許請求の範囲における独立項に記載の特徴の組み合わせにより達成される。また従属項は本発明のさらなる有利な具体例を規定する。
【０００５】
【課題を解決するための手段】
上記の課題を解決するために、本発明の第１の形態は、回転操作によって複数のモードのうちいずれかを選択する環状部材であるモードダイヤルと、前記モードダイヤルの環内に設けられ、前記モードダイヤルの回転面における複数の可動方角のうちいずれかの可動方角へ向けて移動されることによって前記モードに応じたモード対応操作を受け付ける移動型操作部材とを備える。
【０００６】
前記移動型操作部材は、前記モードダイヤルの環内において、前記移動型操作部材の可動方角の数と非依存の面積で設置可能な部材であってもよい。前記移動型操作部材は、その端部が前記可動方角へ向けて移動可能な棒状部材、または位置保持されたまま前記可動方角へ向けて回転可能な回転部材のうちいずれかであってもよい。前記移動型操作部材は、前記モードダイヤルの前記回転面に対して垂直に押圧されることにより前記モード対応操作の内容が確定されてもよい。
【０００７】
前記移動型操作部材を覆う開閉自在なカバー部材をさらに備えてもよい。前記移動型操作部材は、前記モードダイヤルによる前記モードの選択動作に応じて、前記モード対応操作を受け付ける受付位置と前記モード対応操作を規制する退避位置との間で移動してもよい。前記カバー部材は、前記モードダイヤルによる前記モードの選択動作に応じて開閉してもよい。前記カバー部材は、前記モードダイヤルの下部に取り付けられるとともに、前記モードダイヤルの回転と連動して開閉してもよい。前記移動型操作部材の前記モード対応操作によって指示された所定の処理を実行する処理実行部をさらに備え、前記処理実行部は、前記移動型操作部材の移動量に基づいて処理速度を変化させてもよい。
【０００８】
なお上記の発明の概要は、本発明の必要な特徴の全てを列挙したものではなく、これらの特徴群のサブコンビネーションもまた発明となりうる。
【０００９】
【発明の実施の形態】
以下、発明の実施の形態を通じて本発明を説明するが、以下の実施の形態は請求項にかかる発明を限定するものではなく、また実施の形態の中で説明されている特徴の組み合わせの全てが発明の解決手段に必須であるとは限らない。
【００１０】
（第１実施形態）
本実施形態におけるデジタルカメラは、モードダイヤルと移動型操作部材とを備える。本実施形態は、移動型操作部材として、その端部が所望の方角へ向けて移動可能な棒状部材をもつポインティングデバイスであるジョイスティックを用いる。
【００１１】
図１は、デジタルカメラ１０の構成図である。デジタルカメラ１０は、主に撮像ユニット２０、撮像制御ユニット４０、処理ユニット６０、表示ユニット１００、および操作ユニット１１０を含む。
【００１２】
撮像ユニット２０は、撮影および結像に関する機構部材および電気部材を含む。撮像ユニット２０はまず、映像を取り込んで処理を施す撮影レンズ２２、絞り２４、シャッタ２６、光学ＬＰＦ（ローパスフィルタ）２８、ＣＣＤ３０、および撮像信号処理部３２を含む。撮影レンズ２２は、フォーカスレンズやズームレンズ等からなる。
【００１３】
この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。
【００１４】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００１５】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００１６】
撮像ユニット２０はさらにマイク３８を備え、外界からの集音を行う。音声データは撮像信号処理部３２においてＡ／Ｄ変換され、デジタル音声データとして処理ユニット６０へと出力される。
【００１７】
撮像ユニット２０はさらに、ファインダ３４とストロボ３６を有する。動画の撮影時にも補助光を点灯させるために、ストロボ３６の代わりに白色ＬＥＤまたはランプを用いてもよい。ファインダ３４には図示しないＬＣＤを内装してもよく、その場合、後述のメインＣＰＵ６２等からの各種情報をファインダ３４内に表示できる。ストロボ３６は、コンデンサ（図示せず）に蓄えられたエネルギが放電管３６ａに供給されたときそれが発光することで機能する。
【００１８】
撮像制御ユニット４０は、ズーム駆動部４２、フォーカス駆動部４４、絞り駆動部４６、シャッタ駆動部４８、これらを制御する撮像系ＣＰＵ５０をもつ。ズーム駆動部４２などの駆動部は、それぞれステッピングモータ等の駆動手段を有する。
【００１９】
後述のレリーズスイッチ１１４の押下に応じ、撮像系ＣＰＵ５０はＣＣＤ３０の蓄積電荷から得られたデータに基づき、被写体までの距離および被写体の輝度を測定する。別部材として測距センサおよび測光センサを備えてもよい。このようにして測定された距離のデータおよび被写体輝度のデータを、以下単に「測距データ」および「測光データ」と称呼する。
【００２０】
撮像系ＣＰＵ５０は、ユーザから指示されたズーム倍率等の撮影条件に基づき、ズーム駆動部４２とフォーカス駆動部４４を制御して撮影レンズ２２のズーム倍率とピントの調整を行う。さらに撮像系ＣＰＵ５０は、測光データまたはユーザからの指示に基づき、ストロボ３６の発光をストロボ制御部４１によって制御する。
【００２１】
撮像系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００２２】
撮像系ＣＰＵ５０はまた、測光データに基づき、絞り２４の絞り量を調整する。ユーザが映像の取込を指示したとき、ＣＣＤ３０が電荷蓄積を開始し、測光データから計算されたシャッタ時間の経過後、蓄積電荷が撮像信号処理部３２へ出力される。
【００２３】
処理ユニット６０は、デジタルカメラ１０全体、とくに処理ユニット６０自身を制御するメインＣＰＵ６２と、これによって制御されるメモリ制御部６４、ＹＣ処理部７０、オプション装置制御部７４、圧縮伸張処理部７８、通信Ｉ／Ｆ部８０を有する。メインＣＰＵ６２は、シリアル通信などにより、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００２４】
メインＣＰＵ６２には、キャラクタ生成部８４とタイマ８６が併設されている。タイマ８６は電池でバックアップされ、つねに日時をカウントしている。このカウント値から撮影日時に関する情報、その他の時刻情報がメインＣＰＵ６２に与えられる。キャラクタ生成部８４は、撮影日時、タイトル等の文字情報を発生し、この文字情報が適宜撮影画像に合成される。
【００２５】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。
【００２６】
一方、メインメモリ６８は一般にＤＲＡＭのように比較的安価で容量の大きなメモリで構成される。メインメモリ６８は、撮像ユニット２０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００２７】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（以下単に「圧縮データ」という）は、オプション装置制御部７４を介してオプション装置７６の一種であるメモリカードへ書き込まれる。
【００２８】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張処理部７８へ与えられる。つづいて、圧縮伸張処理部７８で必要な伸張処理が施されたデータはエンコーダ７２によってビデオ信号へ変換される。
【００２９】
オプション装置制御部７４は、オプション装置７６に認められる信号仕様およびメインバス８２のバス仕様にしたがい、メインバス８２とオプション装置７６の間で必要な信号の生成、論理変換、または電圧変換などを行う。デジタルカメラ１０は、オプション装置７６として前述のメモリカードのほかに、例えばＰＣＭＣＩＡ準拠の標準的なＩ／Ｏカードをサポートしてもよい。その場合、オプション装置制御部７４は、ＰＣＭＣＩＡ用バス制御ＬＳＩなどで構成してもよい。
【００３０】
通信Ｉ／Ｆ部８０は、デジタルカメラ１０がサポートする通信仕様、たとえばＵＳＢ、ＲＳ−２３２Ｃ、イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、ゲーム機等の外部機器との間で独自のＩ／Ｆによるデータ授受を行う構成としてもよい。
【００３１】
表示ユニット１００は、ＬＣＤモニタ１０２とスピーカ１０４とを有する。それらはＬＣＤドライバであるモニタドライバ１０６およびスピーカドライバ１０８によってそれぞれ制御される。ＬＣＤモニタ１０２は、例えば２インチ程度の大きさでカメラ背面に設けられ、現在の撮影や再生のモード、撮影や再生のズーム倍率、電池残量、日時、モード設定のための画面、被写体画像などを表示する。さらに、ＬＣＤモニタ１０２は、画質（ＦＩＮＥ／ＮＯＲＭＡＬ／ＢＡＳＩＣなど）、ストロボ発光／発光禁止、標準撮影可能枚数、画素数、電池容量などの情報をユーザからの指示に応じて表示する。
【００３２】
操作ユニット１１０は、ユーザがデジタルカメラ１０の動作やそのモードなどを設定または指示するために必要な機構および電気部材を含む。機能設定部１１６は、設定される位置に基づき、デジタルカメラ１０の電源のオンオフならびに動画モードおよび静止画モードの別などを指定する。レリーズスイッチ１１４は、半押しと全押しの二段階押し込み構造になっている。一例として、半押しでＡＦおよびＡＥがロックし、全押しで撮影画像の取込が行われ、必要な信号処理、データ圧縮等の後、メインメモリ６８、オプション装置７６等に記録される。
【００３３】
以上の構成による主な動作は以下の通りである。まずデジタルカメラ１０の機能設定部１１６に含まれる電源スイッチがオンされ、カメラ各部に電力が供給される。メインＣＰＵ６２は、機能設定部１１６の状態を読み込むことで、デジタルカメラ１０が撮影モードにあるか再生モードにあるかを判断する。
【００３４】
デジタルカメラ１０が撮影モードにあるとき、メインＣＰＵ６２はレリーズスイッチ１１４の半押し状態を監視する。半押し状態が検出されたとき、メインＣＰＵ６２は、ＣＣＤ３０の蓄積電荷からそれぞれ測光データと測距データとを得ることを撮像系ＣＰＵ５０に指示する。得られたデータに基づいて撮像制御ユニット４０が動作し、撮影レンズ２２のピント、絞りなどの調整が行われる。
【００３５】
調整が完了すると、ＬＣＤモニタ１０２に「スタンバイ」などの文字を表示してユーザにその旨を伝え、つづいてレリーズスイッチ１１４の全押し状態を監視する。レリーズスイッチ１１４が全押しされると、所定のシャッタ時間をおいてシャッタ２６が閉じられ、ＣＣＤ３０の蓄積電荷が撮像信号処理部３２へ掃き出される。さらに、動画モードにおいてマイク３８によって集音された音声データは、撮像信号処理部３２に入力される。
【００３６】
撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け、オプション装置制御部７４を経由してオプション装置７６へ記録される。記録された画像は、フリーズされた状態でしばらくＬＣＤモニタ１０２に表示され、ユーザは撮影画像を知ることができる。
【００３７】
また、動画モードにおいては、撮像信号処理部３２による処理の結果生成されたデジタル音声データは、メインバス８２を介して一旦メインメモリ６８へ格納された後に、圧縮伸張処理部７８で処理を受ける。その後、オプション装置７６へと記録される。以上で一連の撮影動作が完了する。
【００３８】
一方、デジタルカメラ１０が再生モードの場合、メインＣＰＵ６２は、メモリ制御部６４を介してメインメモリ６８から最後に撮影した映像を読み出し、これを表示ユニット１００のＬＣＤモニタ１０２に再生する。この状態でユーザが機能設定部１１６にて「順送り」、「逆送り」を指示すると、現在表示している映像の前後に撮影された映像が読み出され、再生される。
【００３９】
図２は、機能設定部１１６を例示する機能ブロック図である。機能設定部１１６は、モードダイヤル１２０とジョイスティック１２２とシフトボタン１２４とを有する。モードダイヤル１２０、ジョイスティック１２２、およびシフトボタン１２４の詳細は後述する。
【００４０】
図３は、デジタルカメラ１０の正面側の構成を例示する斜視図である。デジタルカメラ１０の筐体正面にはレンズ２２、マイク３８、ストロボ３６、および光学式のファインダ３４が備えられる。デジタルカメラ１０の筐体側面にはオプション装置７６が挿入される。デジタルカメラ１０の筐体上面にはレリーズスイッチ１１４が配置される。
【００４１】
図４は、デジタルカメラ１０の背面側の構成を例示する斜視図である。デジタルカメラ１０の筐体背面にはＬＣＤモニタ１０２、スピーカ１０４、ＬＣＤモニタ１０２のオンオフを切り替える表示ボタン１２６、シフトボタン１２４、モードダイヤル１２０、およびジョイスティック１２２が備えられる。モードダイヤル１２０は、回転操作によって複数のモードのうちいずれかを選択する環状部材である。ジョイスティック１２２は、モードダイヤル１２０の環内に設けられる。ジョイスティック１２２は、モードダイヤル１２０の回転面における複数の可動方角のうちいずれかの可動方角へ向けて移動される移動型操作部材である。ジョイスティック１２２は、移動されることによって、モードダイヤル１２０によって選択されたモードに応じた操作（モード対応操作」）を受け付ける。ジョイスティック１２２は、その端部が可動方角へ向けて移動可能な棒状部材を含む。
【００４２】
本実施形態においては、所望の方角へ向けて移動可能なジョイスティック１２２を操作部材として用いる。したがって、所望の方角へ指を移動してさらに垂直に押圧する必要がある十字キー等と比べて、より直感的な操作を期待することができる。
【００４３】
図５は、図３におけるモードダイヤル１２０およびジョイスティック１２２の拡大図である。モードダイヤル１２０の表面には、複数のモードを示すシンボルマークが周回状に描かれている。ユーザはモードダイヤル１２０を回転させ、複数のシンボルマークのうちの１つを目印１２８に合わせることによってモードを選択する。複数のモードには、たとえばセルフタイマ撮影モード、セットアップモード、マニュアル撮影モード、オート撮影モード、再生モード等がある。
【００４４】
図６はモードダイヤル１２０およびジョイスティック１２２の斜視図である。本実施形態におけるジョイスティック１２２は、所望の可動方角へ向けて移動可能な棒状部材の上端部に、モードダイヤル１２０と平行に略幅広な円盤状部材を取り付けて形成される。ユーザは円盤状部材の上面を指で押さえながら、ジョイスティック１２２全体を所望の方角へ移動させる。ジョイスティック１２２の棒状部材の下端部がモードダイヤル１２０の環内に取り付けられる。ジョイスティック１２２は、モードダイヤル１２０の環内において、ジョイスティック１２２の可動方角の数と非依存の面積で設置可能な部材である。本実施形態におけるジョイスティック１２２は、図に示されるとおりモードダイヤル１２０の上面レベルより下方に位置するが、ジョイスティック１２２をモードダイヤル１２０の上面レベルから突出させてもよい。
【００４５】
このように、モードダイヤル１２０の環内にジョイスティック１２２が設けられる。したがって、モードダイヤル１２０の回転軸近傍のスペースを有効に利用することができ、ジョイスティック１２２を配置するためのスペースを別途設ける必要がない。
【００４６】
また、ジョイスティック１２２は、モードダイヤル１２０の環内において、ジョイスティック１２２の可動方角の数と非依存の面積で設置可能な部材である。すなわち、可動方角の数だけ設置面積を必要とする十字キー等のような部材と比べて設置面積が狭い。したがって、モードダイヤル１２０の環内に十字キーを設置する場合よりもモードダイヤル１２０の径を小さくすることができる。
【００４７】
図７は、モードダイヤル１２０およびジョイスティック１２２の断面を例示する断面図である。モードダイヤル１２０の下方には、モードダイヤル１２０を支持する支持台座１３０が設けられる。支持台座１３０は、略円盤状の環状部材からなり、その上面がモードダイヤル１２０の下面に接触してモードダイヤル１２０を支持する。支持台座１３０の環内には、方角用圧電素子１３２、支持盤１３４、および固定ビス１３６が設けられる。方角用圧電素子１３２は、伝送部材１４０を介して各部と電気的に接続される。伝送部材１４０は、支持台座１３０の環内から外部へ出ている。伝送部材１４０は、たとえばフレキシブル基板であってもよい。支持台座１３０の下部には台座側アーム１３０ａが設けられる。
【００４８】
支持台座１３０の下方には、カバー部材１５２が設けられる。カバー部材１５２は、台座側アーム１３０ａの下端部に取り付けられる。カバー部材１５２は、ジョイスティック１２２を覆う開閉自在な部材である。
【００４９】
（ａ）は、カバー部材１５２が開かれた状態を示す。（ｂ）は、カバー部材１５２が閉じられた状態を示す。カバー部材１５２は、ジョイスティック１２２の操作が不要なモードに設定された場合に、ジョイスティック１２２を被覆してユーザによる誤操作や破損を防止する。カバー部材１５２は、点を中心にして対称な形状、たとえば球面形状を有してもよい。カバー部材１５２は、線を中心軸にして対称な形状、たとえば円筒形状を有してもよい。カバー部材１５２は、その下部にカバー用アーム１５２ａを有し、回転軸１５４を中心とした回転により開閉する。カバー用アーム１５２ａは、支持台座１３０の台座側アーム１３０ａの下端部に取り付けられる。支持台座１３０が垂直に押下されると、（ａ）におけるカバー部材１５２は、回転軸１５４を中心にして回転しながら（ｂ）の閉じ状態になる。支持台座１３０の上面はモードダイヤル１２０の下面から離れて空隙を形成し、その空隙にカバー部材１５２が入り込む。
【００５０】
ジョイスティック１２２は、下降する支持台座１３０にともなって下降する構成であってもよい。ジョイスティック１２２は、上昇した状態においてモード対応操作を受け付ける（受付位置）。ジョイスティック１２２は、下降した状態においてモード対応操作を規制する（退避位置）。ジョイスティック１２２は、1モードダイヤル１２０によるモードの選択動作に応じて、受付位置と退避位置との間で移動する構成であってもよい。カバー部材１５２は、モードダイヤル１２０によるモードの選択動作に応じて開閉してもよい。支持台座１３０は、モードダイヤル１２０によるモードの選択動作に応じて上下動してもよい。
【００５１】
このように、カバー部材１５２はジョイスティック１２２を被覆する。したがって、ジョイスティック１２２の使用が不要なときに、ジョイスティック１２２の露出をなくして、ユーザによる誤操作や破損を防止することができる。
【００５２】
また、カバー部材１５２は、モードダイヤル１２０と支持台座１３０との間に形成される空隙に入り込む。したがって、カバー部材１５２はモードダイヤル１２０を被覆せずにジョイスティック１２２を被覆することができる。
【００５３】
また、ジョイスティック１２２は、その使用が不要なときに下降する。したがって、カバー部材１５２による開閉動作を妨げず、ジョイスティック１２２とカバー部材１５２との衝突を防ぐことができる。
【００５４】
また、カバー部材１５２は、モードダイヤル１２０によるモードの選択動作に応じて開閉する。したがって、ジョイスティック１２２の使用が不要なモードが選択されたときに自動的にカバー部材１５２を閉じることができる。
【００５５】
図８は、ジョイスティック１２２の取付構造を例示する斜視図である。ジョイスティック１２２の下方には、方角用圧電素子１３２、支持盤１３４、固定ビス１３６、および確定用スイッチ１３８が設けられる。方角用圧電素子１３２は、ジョイスティック１２２が有する棒状部材下端部の四方に取り付けられる（方角用圧電素子１３２ａ〜ｄ）。支持盤１３４は、略中央に孔が設けられ、この孔にジョイスティック１２２の棒状部材下端部が挿通される。固定ビス１３６は確定用スイッチ１３８の上に取り付けられる。固定ビス１３６には、ジョイスティック１２２の棒状部材下端部が上方から固定される。確定用スイッチ１３８の上面には、確定用圧電素子１３８ａが設けられる。
【００５６】
ジョイスティック１２２を四方に操作すると方角用圧電素子１３２に押圧力がかかる。方角用圧電素子１３２は、押圧力を検知し、所定のしきい値以上の押圧力を検出する。方角用圧電素子１３２ａ〜ｄにかかる押圧力の大きさによってどの方角にジョイスティック１２２が移動されたかが検出される。
【００５７】
ジョイスティック１２２は、モードダイヤル１２０の回転面に対する垂直な方向に押圧可能である。ジョイスティック１２２の押圧動作を、ユーザ対応操作の内容を確定させる操作としてもよい。ジョイスティック１２２が垂直に押圧されると、固定ビス１３６を介して確定用圧電素子１３８ａに押圧力がかかる。所定のしきい値以上の押圧力がかかった場合にだけユーザ対応操作の内容を確定させてもよい。可動方角への操作と区別するために、方角用圧電素子１３２への押圧力のしきい値と異なるしきい値を設定してもよい。
【００５８】
このように、ジョイスティック１２２を垂直に押圧することにより、モード対応操作を確定することができる。したがって、モード対応操作確定ボタンをカメラに別途設ける必要がなく、カメラ背面のスペースを節約することができる。また、確定ボタンの取付位置がジョイスティック１２２から離れていないので、操作性を向上させることができる。
【００５９】
図９は、ジョイスティック１２２および支持台座１３０の構成を例示する斜視図である。支持台座１３０の側面に孔が設けられ、この孔から伝送部材１４０が外部に出ている。伝送部材１４０は、主に樹脂フイルム等の変形自在な部材で形成される。伝送部材１４０は、その長さに余裕をもつ。したがって、支持台座１３０またはジョイスティック１２２の上下動に応じて移動することができ、電気的接続状態を保つことができる。
【００６０】
図１０は、処理実行部３００を示す機能ブロック図である。処理実行部３００は、機能設定部１１６に含まれるモードダイヤル１２０等の操作に応じた処理を実行する。処理実行部３００がもつ諸機能は、撮像系ＣＰＵ５０やメインＣＰＵ６２等により実現される。
【００６１】
処理実行部３００は、モード決定部３０２、方角決定部３０４、確定操作判定部３０６、シフト操作判定部３０７、モード対応操作決定部３０８、画像処理部３１０、カーソル位置決定部３１２、撮影条件決定部３１４、再生制御部３１６を含む。
【００６２】
モード決定部３０２は、モードダイヤル１２０によるモード選択に応じてモードを決定する。方角決定部３０４は、ジョイスティック１２２によってどの方角が指示されているかを決定する。確定操作判定部３０６は、ジョイスティック１２２が垂直に押下されたかどうかを監視する。シフト操作判定部３０７は、シフトボタン１２４が押下されたかどうかを監視する。
【００６３】
モード対応操作決定部３０８は、方角決定部３０４で決定された方角に応じて実行する処理内容を決定する。処理内容は、モード決定部３０２で決定されたモードに応じて決定される。モード対応操作決定部３０８は、シフトボタン１２４が押下されているかどうかにより処理内容を変えてもよい。確定操作判定部３０６は、モード対応操作決定部３０８が決定した処理内容を確定する。
【００６４】
画像処理部３１０は、モード対応操作決定部３０８で決定された処理内容に応じて撮影画像を処理する。画像処理部３１０は、ジョイスティック１２２の移動量に基づいて画像処理の速度を変化させてもよい。
【００６５】
カーソル位置決定部３１２は、モード対応操作決定部３０８で決定された処理内容に応じて、ＬＣＤモニタ１０２の画面上におけるカーソルの表示または非表示、カーソルの座標位置等を決定する。カーソル位置決定部３１２は、ジョイスティック１２２の移動量に基づいてカーソル移動の速度を変化させてもよい。
【００６６】
撮影条件決定部３１４は、モード対応操作決定部３０８で決定された処理内容に基づいて撮影条件を決定する。撮影条件決定部３１４は、ジョイスティック１２２の移動量に基づいて撮影条件変更処理の速度を変化させてもよい。たとえば、撮影条件決定部３１４は、ジョイスティック１２２の移動量に基づいてズーム移動の速度を変化させてもよい。動画撮影または音声録音の場合、撮影条件決定部３１４は、ジョイスティック１２２による操作に基づいて、ステレオ録音の左右バランスを変化させてもよい。
【００６７】
再生制御部３１６は、モード対応操作決定部３０８で決定された処理内容に基づいて、画像や音声等の情報再生を制御する。再生制御部３１６は、ジョイスティック１２２の方角等に応じて、順再生、逆再生、早送り、巻き戻し、停止等の処理を制御してもよい。再生制御部３１６は、ジョイスティック１２２の移動量に基づいて情報再生の速度を変化させてもよい。たとえば、再生制御部３１６は、ジョイスティック１２２の移動量に基づいて動画再生の速度を変化させてもよい。再生制御部３１６は、ジョイスティック１２２の移動量に基づいて音楽再生の速度を変化させてもよい。
【００６８】
再生制御部３１６は、ジョイスティック１２２の方角に応じて、ステレオ音声の左右バランス、音声のピッチ等を変化させてもよい。
【００６９】
図１１は、ＬＣＤモニタ１０２に表示されたセットアップ用の画面を例示する図である。たとえば、モードダイヤル１２０によりセットアップモードが選択された場合に、図１１の画面が表示される。ＬＣＤモニタ１０２には、セットアップ条件の選択肢がマトリクス表示される。セットアップ条件としては、たとえば、クオリティ、ピクセル、シャープネスおよびオートパワーオフ等がある。ユーザは、ジョイスティック１２２を操作してカーソル１９０を移動させることにより、セットアップ画面における各選択肢を選択する。選択された選択肢は、網掛け表示または反転表示されることにより選択状態がユーザに知らせられる。
【００７０】
カーソル位置決定部３１２は、方角決定部３０４によって決定された方角に応じて、画面上のカーソル１９０の位置座標を変化させる。カーソル位置決定部３１２は、カーソルの座標位置に存在する選択肢を選択表示する処理を決定してもよい。
【００７１】
このように、ユーザはカーソル１９０をジョイスティック１２２によって上下左右および斜めに自由移動させる。したがって、各選択肢を速やかに選択することができる。
【００７２】
モード対応操作の一例として、画像のクオリティ設定を説明する。ユーザは、ジョイスティック１２２を操作してカーソル１９０を移動させることにより、「ＦＩＮＥ」「ＮＯＲＭＡＬ」「ＢＡＳＩＣ」のいずれかを選択する。画像処理部３１０は、ユーザの選択に応じた圧縮率を決定する。
【００７３】
モード対応操作の他の一例として、画像の解像度設定を説明する。ユーザは、ジョイスティック１２２を操作してカーソル１９０を移動させることにより、「１２８０×１０２４」「６４０×４８０」のいずれかを選択する。撮影条件決定部３１４は、ユーザの選択に応じた解像度を決定する。
【００７４】
図１２は、ＬＣＤモニタ１０２に表示された撮影条件設定用画面を例示する図である。たとえば、モードダイヤル１２０によりマニュアル撮影モードが選択された場合に、図１２の画面が表示される。ユーザは、ジョイスティック１２２を操作してカーソル１９０を移動させることにより、ホワイトバランス（ＷＢ）、露出補正（太陽のマーク）、ストロボ３６の明るさ補正（稲妻のマーク）、および連写の設定（重なり合う写真のマーク）のそれぞれを設定することができる。
【００７５】
たとえば、露出補正の設定の場合、ユーザはジョイスティック１２２をカーソル１９０を移動させて、露出値を０．３ＥＶ値ごとに変化させて設定することができる。ユーザの選択に応じて、撮影条件決定部３１４が絞り値およびシャッタスピードを決定する。
【００７６】
図１３は、ＬＣＤモニタ１０２に表示されたズーム操作ガイド１８０を例示する図である。ズーム倍率を変更するときにズーム操作ガイド１８０が画面表示される。ズーム操作ガイド１８０は、ズーム倍率の変更操作におけるジョイスティック１２２の方角の割り当てをユーザに知らせる。たとえば、ジョイスティック１２２を上の方角に移動させるとズームイン動作になり、下の方角に移動させるとズームアウト動作になる。撮影条件決定部３１４は、ユーザによる操作に応じてズーム倍率を決定する。
【００７７】
図１４は、ＬＣＤモニタ１０２に表示された再生画面を例示する図である。ユーザは、カーソル１９０を移動させて画面内を矩形選択することができる。たとえば、画像の一部を矩形選択してトリミング処理をしてもよい。画像処理部３１０は、ユーザの選択に応じて撮影画像をトリミングする。カーソル位置決定部３１２は、ジョイスティック１２２の移動量に応じて、カーソル１９０の移動速度を変化させてもよい。
【００７８】
（第２実施形態）
本実施形態におけるデジタルカメラ１０の基本的な構成および機能は第１実施形態と同様である。本実施形態におけるカバー部材１５２は、モードダイヤル１２０と連動して開閉可能である。
【００７９】
図１５は、第２実施形態におけるモードダイヤル１２０およびカバー部材１５２の構造を例示する断面図である。カバー部材１５２は、モードダイヤル１２０の下部に取り付けられるとともに、モードダイヤル１２０の回転と連動して開閉する。モードダイヤル１２０は、その下部にダイヤルアーム１２０ａを有する。ダイヤルアーム１２０ａの下端部には、突起１２０ｂが設けられる。
【００８０】
カバー部材１５２が有するカバー用アーム１５２ａの端部には、スリット１５２ｂが設けられる。ダイヤルアーム１２０ａの突起１２０ｂは、カバー用アーム１５２ａのスリット１５２ｂに摺動自在に係合する。これにより、モードダイヤル１２０とカバー部材１５２は、互いにアーム同士が係合して連結される。モードダイヤル１２０が回転すると、カバー部材１５２は開閉動作をする。モードダイヤル１２０が図中の矢印の方向（左側から右方向）へ移動すると、回転軸１５４を中心としてカバー部材１５２は図中の矢印の方向（下側から上方向）へ移動する。
【００８１】
図１６は、第２実施形態におけるモードダイヤル１２０およびカバー部材１５２の構造を例示する斜視図である。モードダイヤル１２０が図中の矢印の方向（反時計回り）に回転すると、突起１２０ｂとスリット１５２ｂとの係合を介して、回転軸１５４を中心としてカバー部材１５２が図中の矢印の方向（下側から上方向）へ移動する。モードダイヤル１２０上の「ＯＦＦ」の文字が目印１２８に合わされたときに、カバー部材１５２がジョイスティック１２２を被覆するようにしてもよい。
【００８２】
このように、本実施形態においては、モードダイヤル１２０とカバー部材１５２とを機械的に係合させ、電気的構成を用いない。したがって、簡易な構成でモードダイヤル１２０とカバー部材１５２とを連動させることができる。
【００８３】
（第３実施形態）
本実施形態においては、ジョイスティック１２２の周囲に十字キー４００を設けている。
【００８４】
図１７は、本実施形態のモードダイヤル１２０、ジョイスティック１２２、および十字キー４００を示す図である。十字キー４００の機能はジョイスティック１２２の機能と同様にしてもよい。ユーザは、ジョイスティック１２２と十字キー４００とを使い分けて操作してもよい。たとえば、画面上においてカーソル１９０を移動させる場合、大きな移動または連続移動をさせたいときにジョイスティック１２２で操作してもよい。逆に、たとえば、細かな移動をさせたいときに十字キー４００で操作してもよい。他の形態においては、十字キー４００に対し、ジョイスティック１２２の機能と異なる機能を割り当ててもよい。
【００８５】
このように、十字キー４００を設けることによって、複雑な操作も可能となる。
【００８６】
（第４実施形態）
本実施形態におけるジョイスティック１２２は、その上面に確定ボタン１２３を有する。第１実施形態においては、ジョイスティック１２２全体を押圧可能であったのに対し、本実施形態においては、ジョイスティック１２２全体を押圧しない点で異なる。ユーザ対応操作の確定は確定ボタン１２３を押すことにより実現する。
【００８７】
図１８は、ジョイスティック１２２を示す斜視図である。ジョイスティック１２２が有する円盤状部材の上面略中央に孔が設けられる。この孔の内部に確定ボタン１２３が設けられる。確定ボタン１２３の押下操作は、第１実施形態におけるジョイスティック１２２全体の押圧操作と同様の機能を果たす。
【００８８】
本実施形態によれば、確定ボタン１２３の存在が外観上明らかなので、より直感的な操作を期待することができる。
【００８９】
（第５実施形態）
本実施形態においては、移動型操作部材の一例としてトラックボールを用いる。トラックボールは、位置保持されたまま可動方角へ向けて回転可能な回転部材のひとつである。
【００９０】
図１９は、トラックボール４０２を備えたデジタルカメラ１０の外観を示す斜視図である。トラックボール４０２は、モードダイヤル１２０の環内に設けられる。トラックボール４０２がユーザの操作によって回転すると、回転する方角と回転量に応じた処理が処理実行部３００により実行される。
【００９１】
トラックボール４０２は、ジョイスティック１２２と同様、モードダイヤル１２０の環内において、トラックボール４０２の可動方角の数と非依存の面積で設置可能な部材である。すなわち、可動方角の数だけ設置面積を必要とする十字キー等のような部材と比べて設置面積が狭い。したがって、モードダイヤル１２０の環内に十字キーを設置する場合よりもモードダイヤル１２０の径を小さくすることができる。
【００９２】
図２０は、トラックボール４０２およびモードダイヤル１２０を示す斜視図である。トラックボール４０２は、支持台座１３０の環内に設けられる。トラックボール４０２は、その球面の一部が支持台座１３０の環状部分から外部に露出する。トラックボール４０２がモードダイヤル１２０の回転面に対して垂直に押圧されることにより、ユーザ対応操作の内容が確定される構成であってもよい。処理実行部３００は、トラックボール４０２の単位時間あたりの移動量に応じて、処理実行の速度を変化させてもよい。
【００９３】
（第６実施形態）
本実施形態においては、移動型操作部材の一例として、略幅広な円筒形状のホイール６２０が用いられる。ホイール６２０は、位置保持されたまま可動方角へ向けて回転可能な回転部材のひとつである。
【００９４】
図２１は、モードダイヤル１２０およびホイール６２０の斜視図である。ホイール６２０はモードダイヤル１２０の環内に設けられる。ホイール６２０は、略長尺状の円筒形状を有する。トラックボールが四方へ回転可能であるのに対し、ホイール６２０は前後２方向にだけ回転可能である。ホイール６２０は、２方向への回転により、少なくとも２方角を指示可能である。
【００９５】
ホイール６２０は、その円筒形状の長手方向両端部をモードダイヤル１２０の回転面に垂直な方向に押圧することができる。ホイール６２０の中央付近を支点にして両端のそれぞれを独立に押圧可能としてもよい。ホイール６２０は、両端の押圧により、回転方向と異なる２方角をさらに指示可能である。すなわち、ホイール６２０は、回転と押圧により４方角を指示可能である。
【００９６】
図２２は、ホイール６２０を示す斜視図である。ホイール６２０の円形端面において、回転軸６２４を中心として放射状に反射板６２６を取り付けてもよい。エンコーダ６５０が反射板６２６の反射光を検知してホイール６２０の回転方向および単位時間あたりの回転量を検出する。
【００９７】
図２３は、ホイール６２０の取付構造を示す図である。ホイール６２０は、モードダイヤル１２０の下部に設けられたホイール収容部６４０のなかに収められる。回転軸６２４の端部は、ホイール収容部６４０の内壁面に取り付けられる。ホイール収容部６４０の下方にはホイール用圧電素子６６０が設けられる。ホイール用圧電素子６６０は、載置板６３０の上面に設けられる。ユーザがホイール６２０をモードダイヤル１２０の回転面に対し垂直に押圧すると、ホイール収容部６４０がホイール用圧電素子６６０を押圧する。
【００９８】
図２４は、ホイール６２０の側面図である。ホイール用圧電素子６６０および６６２が、ホイール６２０の長手方向両端部の下方に配置される。ホイール収容部６４０は、載置板６３０の上面にバネ６７０を介して支持される。ホイール６２０の長手方向両端部のいずれかを垂直に押圧すると、バネ６７０を支点にしてホイール用圧電素子６６０または６６２のいずれかに押圧力がかかる。ホイール用圧電素子６６０または６６２にかかる押圧力に応じて処理実行部３００が所定の処理を実行する。
【００９９】
（第７実施形態）
本実施形態におけるホイール６２０は、第６実施形態におけるホイール６２０と比べて、回転面に垂直な方向の長さが短い扁平円盤形状を有する。ホイール６２０は位置保持されたまま可動方角へ向けて回転可能な回転部材のひとつである。
【０１００】
図２５は、第７実施形態におけるホイール６２０を示す斜視図である。本実施形態におけるホイール６２０は、回転させることにより２方角を指示するだけでなく、回転面に垂直な方向に端部を移動させることによりさらに２方角を指示可能である。たとえば、ホイール６２０は上下方向に回転し、左右方向に傾けることにより四方を指示可能としてもよい。
【０１０１】
図２６は、ホイール６２０の傾斜を示す図である。ホイール６２０は、回転軸６２４を介してホイール収容部６４０の内壁面に回転自在に支持される。ホイール６２０は、回転面に垂直な方向に端部が移動可能に支持される。ホイール６２０の端部が左右方向に移動されてホイール収容部６４０の内壁面に設置された内壁用圧電素子７６０、７６２を押圧する。この押圧力に応じて方角決定部３０４が左右の方角を決定してもよい。
【０１０２】
（第８実施形態）
本実施形態におけるホイール６２０は、その取付構造が第７実施形態と異なる。
【０１０３】
図２７および図２８はそれぞれ、ホイール６２０の取付構造を例示する断面図および斜視図である。枠体７８０に支持軸７２４が取り付けられる。ホイール６２０は回転軸６２４を中心として回転自在に設けられる。
【０１０４】
枠体７８０は弾性部材からなり、ユーザがホイール７２０を傾けると枠体７８０も変形して傾く。傾いた枠体７８０によって図２７のスイッチ７６０、７６２のいずれかに押圧力がかかり、方角が指示される。
【０１０５】
以上の通り、第１実施形態においては、所望の方角へ向けて移動可能なジョイスティック１２２を操作部材として用いる。したがって、所望の方角へ指を移動してさらに垂直に押圧する必要がある十字キー等と比べて、より直感的な操作を期待することができる。
【０１０６】
また、モードダイヤル１２０の環内にジョイスティック１２２が設けられる。したがって、モードダイヤル１２０の回転軸近傍のスペースを有効に利用することができ、ジョイスティック１２２を配置するためのスペースを別途設ける必要がない。
【０１０７】
また、ジョイスティック１２２は、モードダイヤル１２０の環内において、ジョイスティック１２２の可動方角の数と非依存の面積で設置可能な部材である。すなわち、可動方角の数だけ設置面積を必要とする十字キー等のような部材と比べて設置面積が狭い。したがって、モードダイヤル１２０の環内に十字キーを設置する場合よりもモードダイヤル１２０の径を小さくすることができる。
【０１０８】
また、カバー部材１５２はジョイスティック１２２を被覆する。したがって、ジョイスティック１２２の使用が不要なときに、ジョイスティック１２２の露出をなくして、ユーザによる誤操作や破損を防止することができる。
【０１０９】
また、カバー部材１５２は、モードダイヤル１２０と支持台座１３０との間に形成される空隙に入り込む。したがって、カバー部材１５２はモードダイヤル１２０を被覆せずにジョイスティック１２２を被覆することができる。
【０１１０】
また、ジョイスティック１２２は、その使用が不要なときに下降する。したがって、カバー部材１５２による開閉動作を妨げず、ジョイスティック１２２とカバー部材１５２との衝突を防ぐことができる。
【０１１１】
また、カバー部材１５２は、モードダイヤル１２０によるモードの選択動作に応じて開閉する。したがって、ジョイスティック１２２の使用が不要なモードが選択されたときに自動的にカバー部材１５２を閉じることができる。
【０１１２】
また、ジョイスティック１２２を垂直に押圧することにより、モード対応操作を確定することができる。したがって、モード対応操作確定ボタンをカメラに別途設ける必要がなく、カメラ背面のスペースを節約することができる。また、確定ボタンの取付位置がジョイスティック１２２から離れていないので、操作性を向上させることができる。
【０１１３】
また、現在選択中の条件または選択肢の表示をジョイスティック１２２によって上下左右および斜めに自由移動する。したがって、各選択肢を速やかに選択することができる。
【０１１４】
第２実施形態においては、モードダイヤル１２０とカバー部材１５２とを機械的に係合させ、電気的構成を用いない。したがって、簡易な構成でモードダイヤル１２０とカバー部材１５２とを連動させることができる。
【０１１５】
第３実施形態においては、さらに十字キー４００を設けるので、複雑な操作も可能となる。
【０１１６】
第４実施形態においては、確定ボタン１２３がジョイスティック１２２の上面に設けられる。したがって、確定ボタン１２３の存在が外観上明らかなので、より直感的な操作を期待することができる。
【０１１７】
以上、本発明を実施の形態を用いて説明したが、本発明の技術的範囲は上記実施の形態に記載の範囲には限定されない。上記実施の形態に、多様な変更または改良を加えることができる。その様な変更または改良を加えた形態も本発明の技術的範囲に含まれ得ることが、特許請求の範囲の記載から当業者に理解されるところである。
【０１１８】
そうした変形例として、たとえば、第１実施形態では方角用圧電素子１３２ａ〜１３２ｄを合計４個設けているが、圧電素子の数をさらに増やしてもよい。圧電素子の数が増加させるほど、指示される方角を容易に検出することができる。
【０１１９】
【発明の効果】
上記説明から明らかなように、本発明によれば、簡便な操作系をもつデジタルカメラを提供することができる。
【図面の簡単な説明】
【図１】  デジタルカメラ１０の構成図である。
【図２】  第１実施形態の機能設定部１１６を例示する機能ブロック図である。
【図３】  第１実施形態のデジタルカメラ１０の正面側の構成を例示する斜視図である。
【図４】  第１実施形態のデジタルカメラ１０の背面側の構成を例示する斜視図である。
【図５】  図３におけるモードダイヤル１２０およびジョイスティック１２２の拡大図である。
【図６】  モードダイヤル１２０およびジョイスティック１２２の斜視図である。
【図７】  モードダイヤル１２０およびジョイスティック１２２の断面を例示する断面図である。
【図８】  ジョイスティック１２２の取付構造を例示する斜視図である。
【図９】  ジョイスティック１２２および支持台座１３０の構成を例示する斜視図である。
【図１０】  処理実行部３００を示す機能ブロック図である。
【図１１】  ＬＣＤモニタ１０２に表示されたセットアップ用の画面を例示する図である。
【図１２】  ＬＣＤモニタ１０２に表示された撮影条件設定用画面を例示する図である。
【図１３】  ＬＣＤモニタ１０２に表示されたズーム操作ガイド１８０を例示する図である。
【図１４】  ＬＣＤモニタ１０２に表示された再生画面を例示する図である。
【図１５】  第２実施形態におけるモードダイヤル１２０およびカバー部材１５２の構造を例示する断面図である。
【図１６】  第２実施形態におけるモードダイヤル１２０およびカバー部材１５２の構造を例示する斜視図である。
【図１７】  本実施形態のモードダイヤル１２０、ジョイスティック１２２、および十字キー４００を示す図である。
【図１８】  ジョイスティック１２２を示す斜視図である。
【図１９】  トラックボール４０２を備えたデジタルカメラ１０の外観を示す斜視図である。
【図２０】  トラックボール４０２およびモードダイヤル１２０を示す斜視図である。
【図２１】  モードダイヤル１２０およびホイール６２０の斜視図である。
【図２２】  ホイール６２０を示す斜視図である。
【図２３】  ホイール６２０の取付構造を示す図である。
【図２４】  ホイール６２０の側面図である。
【図２５】  第７実施形態におけるホイール６２０を示す斜視図である。
【図２６】  ホイール６２０の傾斜を示す図である。
【図２７】  ホイール６２０の取付構造を示す断面図である。
【図２８】  ホイール６２０の取付構造を示す斜視図である。
【符号の説明】
１０  デジタルカメラ
２０  撮影ユニット
４０  撮影制御ユニット
５０  撮影系ＣＰＵ
６０  処理ユニット
６２  メインＣＰＵ
６８  メインメモリ
１００  再生ユニット
１１０  操作ユニット
１１６  機能設定部
１２０  モードダイヤル
１２２  ジョイスティック
１３０  支持台座
１３２  方角用圧電素子
１３４  支持台
１３６  固定ビス
１３８  確定用スイッチ
１４０  伝送部材
１５２  カバー部材
１９０  カーソル
３００  処理実行部
４０２  トラックボール
６２０  ホイール
【図１】
0004230635.tif 000002
【図２】
0004230635.tif 000003
【図３】
0004230635.tif 000004
【図４】
0004230635.tif 000005
【図５】
0004230635.tif 000006
【図６】
0004230635.tif 000007
【図７】
0004230635.tif 000008
【図８】
0004230635.tif 000009
【図９】
0004230635.tif 000010
【図１０】
0004230635.tif 000011
【図１１】
0004230635.tif 000012
【図１２】
0004230635.tif 000013
【図１３】
0004230635.tif 000014
【図１４】
0004230635.tif 000015
【図１５】
0004230635.tif 000016
【図１６】
0004230635.tif 000017
【図１７】
0004230635.tif 000018
【図１８】
0004230635.tif 000019
【図１９】
0004230635.tif 000020
【図２０】
0004230635.tif 000021
【図２１】
0004230635.tif 000022
【図２２】
0004230635.tif 000023
【図２３】
0004230635.tif 000024
【図２４】
0004230635.tif 000025
【図２５】
0004230635.tif 000026
【図２６】
0004230635.tif 000027
【図２７】
0004230635.tif 000028
【図２８】
0004230635.tif 000029